(57)【要約】【課題】新旧遊技機の入れ替え時や、遊技機の修理等のために一時的に撤去するような場合、あるいは、台数削減の場合等に生ずるであろう遊技機設置用の区画の空きスペースを体裁よく隠し、しかも他の用途に有効活用することを可能にする、パチンコ店の遊技機島における空き区画の有効利用方法を提供することを課題とする。【解決手段】遊技機島１における遊技機設置用区画２に密に嵌装し得る化粧箱３を用意しておき、前記区画２に一時的又は長期的な空きが生じた場合、当該空き区画２に前記化粧箱３を装脱自在に嵌装し、その後当該区画２に遊技機設置の必要が生じた場合に、前記化粧箱３を引出して遊技機を設置することを可能にした。【選択図】図１
2008206571.tif 000002
【特許請求の範囲】
【請求項１】
遊技機島における遊技機設置用区画に密に嵌装し得る化粧箱を用意し、前記区画に一時的又は長期的な空きが生じた場合、当該空き区画に前記化粧箱を装脱自在に嵌装し、その後当該区画に遊技機設置の必要が生じた場合に、前記化粧箱を引出して遊技機を設置することを可能にしたことを特徴とする遊技機島における空き区画の有効利用方法。
【請求項２】
前記化粧箱は、分解、組立て容易である請求項１に記載の遊技機島における空き区画の有効利用方法。
【請求項３】
前記化粧箱は、棚及び／又は仕切りを有する請求項１又は２に記載の遊技機島における空き区画の有効利用方法。
【請求項４】
前記化粧箱は、透視可能な前面カバーを有する請求項１乃至３のいずれかに記載の遊技機島における空き区画の有効利用方法。
【発明の詳細な説明】
【技術分野】
【０００１】
本発明は、遊技機島における空き区画の有効利用方法、より詳細には、パチンコ店における遊技機島に、新旧遊技機の入れ替えや修理その他の理由で空き区画が一時的に又は長期的に生じた場合における、当該空き区画の有効利用を企図した遊技機島における空き区画の有効利用方法に関する。
【背景技術】
【０００２】
パチンコ店においては、多数のパチンコ台やスロットマシン等の遊技機を列状に配置した遊技機島が複数配置される。遊技機島に設置される遊技機は規格品であって、縦横の寸法が決められている。従って、各遊技機島に凹設される遊技機設置用区画のサイズも一定のものとされていて、遊技機の入れ替えをスムーズに行なえるようになっている。
【０００３】
パチンコ店の経営において集客のためには、主軸となる遊技機の入れ替えが不可欠であり、逐次新旧機種の入れ替えが行なわれる。但し、新機種の導入にはコストがかかり、また、旧機種を好む客もいるので、一度に全台の入れ替えを行なうことは少なく、部分的に入れ替えることが多い。
【０００４】
しかるに、店にもよるが、パチンコ店は常に満員という訳ではなく、稼働率の高くない店も少なくない。殊に、当初よりも稼働率が低下してきた店では、利用されずに遊んでいる遊技機もあって無駄になっている。そのような店では、維持費等との関係で遊技機の台数を減らしたいとの要請がでてくる。その場合、遊技機を撤去すると、そこに見ための悪い空き区画が残るので、何らかの手当てが必要となり、そのためのコストもかかるので、古い台を無闇に撤去する訳にもいかない。
【特許文献１】特開平１１−１６４９５６号公報
【発明の開示】
【発明が解決しようとする課題】
【０００５】
本発明は、かかる事情に鑑みてなされたもので、新旧遊技機の入れ替え時や、遊技機の修理等のために一時的に撤去するような場合、あるいは、台数削減の場合等に生ずるであろう遊技機設置用の区画の空きスペースを体裁よく隠し、しかも他の用途に有効活用することを可能にする、パチンコ店の遊技機島における空き区画の有効利用方法を提供することを課題とする。
【課題を解決するための手段】
【０００６】
上記課題を解決するための請求項１に記載の発明は、遊技機島における遊技機設置用区画に密に嵌装し得る化粧箱を用意しておき、前記区画に一時的又は長期的な空きが生じた場合、当該空き区画に前記化粧箱を装脱自在に嵌装し、その後当該区画に遊技機設置の必要が生じた場合に、前記化粧箱を引出して遊技機を設置することを可能にしたことを特徴とする。
【０００７】
好ましくは、前記化粧箱は、分解、組立て容易なものとされる。また、前記化粧箱は、棚及び／又は仕切りを有するものとすることができ、あるいは、前記化粧箱は、透視可能な前面カバーを有するものとすることができる。
【発明の効果】
【０００８】
本発明は上記のとおりであって、遊技機島に空き区画が生じた場合、そこに化粧箱を嵌装することで、見た目の悪さをカバーすることができる。化粧箱内には、花や置き物を配置したり、写真や絵を飾ったり、広告を配したりすることができ、殊に長時間利用客に対する癒し効果がある。また、当該空き区画に新規遊技機の設置の必要が生じた場合には、当該区画から化粧箱を引き出せばよいので、スペースに無駄を生じさせることなく、遊技機の台数調整が可能となる効果がある。
【発明を実施するための最良の形態】
【０００９】
本発明を実施するための好ましい形態について、添付図面に依拠して説明する。
【００１０】
本発明に係る遊技機島における空き区画の有効利用方法は、遊技機島１における遊技機設置用区画２に密に嵌装し得る化粧箱３を用意し、区画２に一時的又は長期的な空きが生じた場合、当該空き区画２に化粧箱３を装脱自在に嵌装し、その後当該区画２に遊技機４設置の必要が生じた場合に、化粧箱３を引出して遊技機４を設置することを可能にしたことを特徴とする。
【００１１】
化粧箱３は、通例木製又は樹脂製で、前面のみ開口したものである。好ましくは化粧箱３は、分解、組立てが容易な構成とし、不使用時には分解して畳んで保管できるようにする。かくして保管に場所を取らず、持ち運び等も容易となる。
【００１２】
化粧箱３は、空き区画２が生じた場合にそこに嵌め込むものであるが、その嵌め込み前又は嵌め込み後に、例えば、花や観葉植物、置き物、絵画、写真、人形、景品あるいは広告板等を収納配置する。収納物に応じ、化粧箱３の前面の全体又は一部に、ガラス等の透視材を設置したり、棚や仕切りを設けたりすることもある。
【００１３】
化粧箱３の縦横サイズは、区画２のサイズに合わせてあるため、化粧箱３は空き区画２内に密に収まり、遊技機島１全体の一体感を損なうことはない。化粧箱３の奥行については、区画２の奥行よりも小である限り、その長短は問われない。
【００１４】
このように、遊技機島１に空き区画２が生じた場合、そこに化粧箱３を嵌め込むことにより、見た目の悪い空き区画２を露出させずに済み、しかもその嵌め込み作業は、何人も簡単且つ迅速に行なうことができる。そして、上記のとおり、観葉植物や写真等を配した化粧箱３が遊技機間に存することにより、時には神経を苛立たせる可能性のあるパチンコ等の利用客の気を紛らせ、これを癒す作用効果を期待できる。
【００１５】
化粧箱３の設置後、事情の変化により、遊技機４の台数を増やす必要が生じた場合は、単に化粧箱３を引き出すだけで、そこに新遊技機４を設置することが可能となる。このように、本発明に係る方法によった場合は、常にスペースの有効利用が図られ、遊技機４の台数調整が容易で、そのための作業に時間とコストがかからない。
【００１６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００１７】
【図１】本発明に係る遊技機島における空き区画の有効利用方法の実施例を示す図である（化粧箱嵌装前）。
【図２】本発明に係る遊技機島における空き区画の有効利用方法の実施例を示す図である（化粧箱嵌装後）。
【符号の説明】
【００１８】
１    遊技機島
２    区画
３    化粧箱
４    遊技機
【図１】
2008206571.tif 000003
【図２】
2008206571.tif 000004